(57)【要約】【課題】ユーザの携帯端末に広告やクーポンを配信するシステムにであって、特に、多数の店舗において多種類の広告・クーポンを配信するとともに、広告・クーポンが利用された場合には、配信元店舗に対して一定の利益還元が行われるようなシステムを提供する。【解決手段】店舗端末にオンライン広告を配信する管理サーバと、携帯端末との通信手段を備え、該通信手段により前記管理サーバから配信されたオンライン広告を携帯端末に送信する１以上の店舗端末と、を含んだオンライン広告システムであって、携帯端末に送信されたオンライン広告は、前記店舗端末のいずれかにおいて利用可能であるオンライン広告システム。【選択図】  図１
2004348531.tif 000002
【特許請求の範囲】
【請求項１】
店舗端末にオンライン広告を配信する管理サーバと、
携帯端末との通信手段を備え、該通信手段により前記管理サーバから配信されたオンライン広告を携帯端末に送信する１以上の店舗端末と、を含んだオンライン広告システムであって、
携帯端末に送信されたオンライン広告は、前記店舗端末のいずれかにおいて利用可能であるオンライン広告システム。
【請求項２】
前記店舗端末の通信手段は、無線通信手段であることを特徴とする請求項１に記載のオンライン広告システム。
【請求項３】
前記無線通信手段は、Ｂｌｕｅｔｏｏｔｈ、Ｕｌｔｒａ  Ｗｉｄｅ  Ｂａｎｄ、ＩＥＥＥ  ８０２．１１ｂ及びＩｒＤＡからなる群から選択される無線通信規格により無線通信を行うことを特徴とする請求項２に記載のオンライン広告システム。
【請求項４】
前記店舗端末は、オンライン広告を携帯端末に送信するときに、オンライン広告の配信元として自端末を識別可能なＬｏｃａｔｉｏｎ＿ＩＤを付加して送信することを特徴とする請求項１〜３のいずれか１項に記載のオンライン広告システム。
【請求項５】
前記Ｌｏｃａｔｉｏｎ＿ＩＤは、当該オンライン広告の識別ＩＤと前記店舗端末の識別ＩＤとを含んでいることを特徴とする請求項４に記載のオンライン広告システム。
【請求項６】
前記店舗端末は、携帯端末に送信されたオンライン広告が利用されたときに、当該オンライン広告に付加されたＬｏｃａｔｉｏｎ＿ＩＤを取得し、前記管理サーバに送信することを特徴とする請求項４又は５に記載のオンライン広告システム。
【請求項７】
前記管理サーバは、前記店舗端末から送信されたＬｏｃａｔｉｏｎ＿ＩＤに基づいて、オンライン広告の配信元である店舗端末を識別することを特徴とする請求項６に記載のオンライン広告システム。
【請求項８】
前記管理サーバは、オンライン広告が利用されたときに、当該オンライン広告の配信元である店舗端末の設置店舗に利益還元を行うことを特徴とする請求項１〜７のいずれか１項に記載のオンライン広告システム。
【請求項９】
前記管理サーバは、さらに、オンライン広告が利用されたときに、当該オンライン広告が利用された店舗端末の設置店舗に利益還元を行うことを特徴とする請求項８に記載のオンライン広告システム。
【請求項１０】
前記管理サーバと前記店舗端末とはＰＯＳネットワークで接続されていることを特徴とする請求項１〜９のいずれか１項に記載のオンライン広告システム。
【請求項１１】
オンライン広告を配信し管理する管理サーバであって、
オンライン広告を生成する手段と、
生成したオンライン広告を店舗端末に配信する手段と、
店舗において利用されたオンライン広告の情報を店舗端末から受信する手段と、
受信したオンライン広告の情報からオンライン広告の配信元を識別する手段と、
を備えており、
オンライン広告の配信元に利益還元を行うことを特徴とする管理サーバ。
【請求項１２】
携帯端末と無線通信を行う手段と、管理サーバと通信を行う手段と、を備えた店舗端末であって、
管理サーバから受信したオンライン広告に自端末の識別ＩＤを付加して携帯端末に送信することを特徴とする店舗端末。
【請求項１３】
店舗端末と無線通信を行う無線通信手段と、記憶手段と、表示手段とを備えた携帯端末であって、
前記無線通信手段により店舗端末からオンライン広告を受信し、前記記憶手段により記憶し、前記表示手段により表示することができることを特徴とする携帯端末。
【発明の詳細な説明】
【０００１】
【発明の属する技術分野】
本発明は、無線通信技術を利用してユーザの携帯端末に広告を配信し、ユーザの購買意欲を引き立てるオンライン広告システムに関し、特に、多数の店舗において多種類の広告を配信するとともに、ユーザ及び店舗それぞれに対して当該広告による利益還元が可能なオンライン広告システムに関するものである。
【０００２】
【従来の技術】
図１３は、従来の携帯端末を利用した広告システムの一例を示す図である。この広告システムにおいて、まず、広告主１３０１は、自己が取り扱う商品についての広告を、雑誌１３１１、ＷＥＢサイト１３１２、店舗に設置された情報端末１３１３等において配信する。ここで配信される広告は、通常、商品の宣伝のみならず、割引やおまけ等の特典を伴ったクーポンの形態であり、ユーザの携帯端末１３２０内にデータとして取り込むことができるようになっている。例えば、雑誌１３１１であれば携帯端末１３２０で読み取り可能なバーコード、ＷＥＢサイト１３１２であれば携帯端末１３２０にダウンロード可能なデータ、店舗端末１３１３であればケーブル接続又は無線通信により携帯端末１３２０にダウンロード可能なデータから構成されている。
【０００３】
上記広告のクーポンを携帯端末１３２０に取り込んだユーザは、当該商品を購入するために所定の店舗１３３０を訪れる。店舗１３３０には、携帯端末１３２０と無線通信可能な機器が設置されており、ユーザは携帯端末１３２０に取り込んである上記クーポンをこの機器に送信することにより、当該商品について割引等の所定のサービスを受けることができる。
【０００４】
一方、店舗１３３０の金銭登録機１３３１は、ＰＯＳ（Ｐｏｉｎｔ  ｏｆ  Ｓａｌｅｓ）端末として機能するものであり、上記クーポンが利用された場合には、ＰＯＳネットワーク１３４０を通じて、その商品名、購入数量、購入代金、日時、購入者に関する情報などを管理サーバ１３５０に送信するようになっている。
【０００５】
このようにして、管理サーバ１３５０には、広告主１３０１が配信した広告のクーポンがいつどこで誰により利用されたのかという情報が蓄積されることになる。広告主１３０１は、管理サーバ１３５０に蓄積されているこれらの情報を利用して、当該商品についての詳細なマーケティングを行うことが可能となる。
上記した従来の携帯端末を利用した広告システムの実施例としては、特許文献１〜３に開示されたものが挙げられる。
【０００６】
特許文献１に記載のマーケティングシステムでは、ＲＦ−ＩＤ又はバーコード付き広告媒体を利用し、ＲＦ−ＩＤ又はバーコードリーダ及びＢｌｕｅｔｏｏｔｈを備えた携帯電話において読み取った上記ＲＦ−ＩＤ又はバーコードを広告主店舗のＰＯＳ端末にＢｌｕｅｔｏｏｔｈで送信することを特徴としている。
【０００７】
特許文献２に記載の購買情報利用決済システムでは、配信サーバから携帯端末に取得したクーポンを店舗で利用すると携帯端末に利用ログが蓄積され、携帯端末が次回配信サーバにアクセスした際に利用ログが配信サーバに送信されるような構成をとっている。
【０００８】
特許文献３に記載の広告システムでは、広告サーバから基地局管理センターを介して携帯端末に広告を配信し、この広告を携帯端末に受信したユーザが当該店舗を訪れると、店舗装置が携帯端末と無線通信を行うことにより、ユーザが配信した広告を見て来店したことを検知しその旨を広告サーバに送信するように構成されている。
【０００９】
【特許文献１】
特開２００２−１４９９４８号公報
【特許文献２】
特開２００１−２１６４５１号公報
【特許文献３】
特開２００１−２４３３１２号公報
【００１０】
【発明が解決しようとする課題】
しかしながら、図１３に示す従来の広告システムでは、携帯端末により広告を受け取ったユーザは店舗に来店して初めて割引等の特典を受けることができるのであり、例えば、店舗の所在地がユーザの生活圏から遠い場合には、ユーザの購買意欲を引き立てる効果は期待できない。
【００１１】
とりわけ、ユーザは、雑誌、ＷＥＢサイト等にアクセスし、欲しい商品のクーポンを発見しこれを携帯端末に取得してから、当該商品が取り扱われている店舗（クーポンにより店舗が指定されている場合にはその店舗）に来店し、クーポンを提示して当該商品を購入するという一連の行動と取らねばならず、せっかく広告を配信しても購買意欲の向上にはつながりにくいという問題があった。
【００１２】
このような問題点を解決するには、例えば、ユーザの携帯端末に広告やクーポンを配信する装置を店舗に設置することが考えられる。実際、コンビニエンスストアやレストランなどでは、このようなサービスを提供する店舗端末が設置され始めている。
【００１３】
ところで、コンビニエンスストアやレストランなどのチェーン店舗では、複数店舗で同じ広告やクーポンを配布していることが多い。そのような広告やクーポンは、一旦ユーザの携帯端末に取得されてしまうと、いずれの店舗から配信されたものなのかが分からなくなってしまう。
【００１４】
したがって、ユーザが携帯端末に取得した広告やクーポンを店舗等で使用した際にも、その配信元がどの店舗であるのかを知る手段がない。すると、配信元店舗にとっては、自店舗に関係のない広告やクーポンを配信してもコストや手間がかかるのみであり、自店舗には何ら利益とならないことになる。
【００１５】
このような問題点に鑑みると、各種店舗が広告やクーポンの配信を行うための動機付けとして、配信された広告やクーポンが使用された場合には、その配信元店舗を特定し、配信元店舗に対して一定の利益還元を行うようなシステムが必要となってくる。
【００１６】
そこで、本発明は、ユーザの携帯端末に広告やクーポンを配信するシステムにであって、特に、多数の店舗において多種類の広告・クーポンを配信するとともに、広告・クーポンが利用された場合には、配信元店舗に対して一定の利益還元が行われるようなシステムを提供しようとするものである。
【００１７】
【課題を解決するための手段】
上記解決課題に鑑みて鋭意研究の結果、本発明者は、以下に示すような構成のオンライン広告システムに想到した。
【００１８】
本発明は、店舗端末にオンライン広告を配信する管理サーバと、携帯端末との通信手段を備え、該通信手段により前記管理サーバから配信されたオンライン広告を携帯端末に送信する１以上の店舗端末と、を含んだオンライン広告システムであって、携帯端末に送信されたオンライン広告は、前記店舗端末のいずれかにおいて利用可能であるオンライン広告システムを提供するものである。
【００１９】
本発明のオンライン広告システムでは、複数の店舗端末においてオンライン広告を配信することが可能であり、また、オンライン広告の配信元以外の店舗端末を通じてオンライン広告を利用することが可能である。これにより、店舗の立地条件により広告効果が制限されないオンライン広告の配信システムが構築される。
【００２０】
本発明のオンライン広告システムにおいて、前記店舗端末の通信手段は、無線通信手段であることを特徴とする。前記無線通信手段としては、例えば、Ｂｌｕｅｔｏｏｔｈ、Ｕｌｔｒａ  Ｗｉｄｅ  Ｂａｎｄ、ＩＥＥＥ  ８０２．１１ｂ及びＩｒＤＡなどの通信規格によるものを利用することができる。
【００２１】
これにより、ユーザは前記店舗端末との無線通信圏内に入ると容易に携帯端末にオンライン広告を受信したり、携帯端末に記憶してあるオンライン広告を利用したりすることができるので、ユーザにとって利便性の高いオンライン広告システムが提供される。
【００２２】
本発明のオンライン広告システムにおいて、前記店舗端末は、オンライン広告を携帯端末に送信するときに、オンライン広告の配信元として自端末を識別可能なＬｏｃａｔｉｏｎ＿ＩＤを付加して送信することを特徴とする。前記Ｌｏｃａｔｉｏｎ＿ＩＤは、当該オンライン広告の識別ＩＤと前記店舗端末の識別ＩＤとを含んでいるのが好ましい。
【００２３】
これにより、複数の店舗端末のうちいずれにおいてユーザが取得したオンライン広告であるかが、オンライン広告データとともに前記携帯端末に記憶されることになる。
【００２４】
本発明のオンライン広告システムにおいて、前記店舗端末は、携帯端末に送信されたオンライン広告が利用されたときに、当該オンライン広告に付加されたＬｏｃａｔｉｏｎ＿ＩＤを取得し、前記管理サーバに送信することを特徴とする。
【００２５】
これにより、前記管理サーバは、いずれの店舗端末で配信されたオンライン広告が利用されたのかを追跡することが可能となる。すなわち、前記管理サーバは、前記店舗端末から送信されたＬｏｃａｔｉｏｎ＿ＩＤに基づいて、オンライン広告の配信元である店舗端末を識別することができることになる。
【００２６】
本発明のオンライン広告システムにおいて、前記管理サーバは、オンライン広告が利用されたときに、当該オンライン広告の配信元である店舗端末の設置店舗に利益還元を行うことを特徴とする。
【００２７】
これにより、各店舗が自店舗以外の店舗のオンライン広告を積極的に配信する強い動機付けが与えられることになり、本発明のオンライン広告システムの利用が一層促進される。さらには、前記管理サーバは、オンライン広告が利用されたときに、当該オンライン広告が利用された店舗端末の設置店舗に利益還元を行うようにすれば、店舗にとってはさらなるインセンティブとなる。
本発明のオンライン広告システムにおいて、前記管理サーバと前記店舗端末とはＰＯＳネットワークで接続されていることを特徴とする。
【００２８】
特に、コンビニエンスストアやファミリーレストランなどの複数店舗を有するチェーン店では、ＰＯＳシステムが完備されていることが多いので、この既存のネットワークを用いてオンライン広告を配信すれば、本システムを低コストで導入することができる。
【００２９】
本発明は、また、オンライン広告を配信し管理する管理サーバであって、オンライン広告を生成する手段と、生成したオンライン広告を店舗端末に配信する手段と、店舗において利用されたオンライン広告の情報を店舗端末から受信する手段と、受信したオンライン広告の情報からオンライン広告の配信元を識別する手段と、を備えており、オンライン広告の配信元に利益還元を行うことを特徴とする管理サーバを提供するものである。
【００３０】
本発明は、また、携帯端末と無線通信を行う手段と、管理サーバと通信を行う手段と、を備えた店舗端末であって、管理サーバから受信したオンライン広告に自端末の識別ＩＤを付加して携帯端末に送信することを特徴とする店舗端末を提供するものである。
【００３１】
本発明は、また、店舗端末と無線通信を行う無線通信手段と、記憶手段と、表示手段とを備えた携帯端末であって、前記無線通信手段により店舗端末からオンライン広告を受信し、前記記憶手段により記憶し、前記表示手段により表示することができることを特徴とする携帯端末を提供するものである。
【００３２】
【発明の実施の形態】
以下、添付図面を参照しながら、本発明の実施の形態を詳細に説明する。
図１〜図１２は、本発明の実施の形態を例示する図であり、これらの図において、同一の符号を付した部分は同一物を表わし、基本的な構成及び動作は同様であるものとする。
【００３３】
［第１実施形態］
図１は、本発明の第１実施形態にかかるオンライン広告システムの構成を概略的に示す図である。図１において、本実施形態のオンライン広告システムは、管理サーバ１０１と、広告主１０２と、コンビニエンスストア１１１と、ファミリーレストラン１１２と、レコード店１１３と、ユーザが所有する携帯端末１４０とから構成されている。
【００３４】
管理サーバ１０１は、本実施形態のオンライン広告システムにおいて利用されるオンライン広告の作成、配信、注文受け付け等を一元管理するためのものであり、その詳細については後述する。
広告主１０２は、本実施形態のオンライン広告システムを利用してオンライン広告を頒布する広告主である。
【００３５】
コンビニエンスストア１１１、ファミリーレストラン１１２及びレコード店１１３は、管理サーバ１０１から提供されるオンライン広告を実際にユーザに配信する機能、及び当該商品の注文を受け付けて管理サーバ１０１に転送する機能を有している。具体的には、コンビニエンスストア１１１、ファミリーレストラン１１２及びレコード店１１３は、それぞれ、ユーザの携帯端末１４０と無線通信可能であり上記機能を備えたアクセスポイントＡＰ１、ＡＰ２及びＡＰ３を備えている。
【００３６】
ユーザが所有する携帯端末１４０は、通常の携帯電話機能やＷＥＢサイト閲覧機能を備える他、上記のアクセスポイントＡＰ１、ＡＰ２及びＡＰ３と無線通信を行う手段を備えている。ここで、携帯端末１４０が備える無線通信手段としては、Ｂｌｕｅｔｏｏｔｈ、Ｕｌｔｒａ  Ｗｉｄｅ  Ｂａｎｄ、ＩＥＥＥ  ８０２．１１ｂ、ＩｒＤＡなどの短距離無線伝送技術を利用したものが考えられる。
【００３７】
携帯端末１４０は、また、付近の通信基地局を通じてキャリア網１３０にアクセスすることが可能であり、さらにキャリア網１３０を通じてインターネット等のネットワーク１２０にも接続することができる。
【００３８】
一方で、広告主１０２、コンビニエンスストア１１１、ファミリーレストラン１１２及びレコード店１１３もまた、ネットワーク１２０に接続されている。あるいは、コンビニエンスストア１１１、ファミリーレストラン１１２及びレコード店１１３等がチェーン店舗であり、チェーンが提供するＰＯＳシステムの端末を備えている場合には、ＰＯＳ端末内にアクセスポイントＡＰ１〜ＡＰ３を内蔵するとともに、管理サーバ１０１との通信において、ＰＯＳシステムの一部を利用するような構成をとることもできる。
【００３９】
図２は、本実施形態において用いる携帯端末１４０の内部構成例を示す機能ブロック図である。
図２において、携帯端末１４０は、装置全体を制御する主制御部２０１、制御プログラムや固定データ等を記憶するＲＯＭ、ＣＰＵの作業用記憶領域であるＲＡＭ等の半導体メモリ及びハードディスクなどからなり、受信し又は入力された文字情報、画像情報及び音声信号を記憶することができる記憶部２０２、キャリア用無線通信を行うためのアンテナ２０３、電波を送受信して無線通信を行うＲＦ無線部２０４、ＲＦ無線部２０４を制御する通信制御部２０５、装置内の各モジュールに電源を供給する電源部２０６、電源部２０６を制御する電源制御部２０７、Ｂｌｕｅｔｏｏｔｈによる無線通信を行うためのアンテナ２０８、アンテナ２０８により電波を送受信してＢｌｕｅｔｏｏｔｈによる無線通信を行うＢｌｕｅｔｏｏｔｈ無線部２０９、Ｂｌｕｅｔｏｏｔｈ無線部２０９を制御するＢｌｕｅｔｏｏｔｈ通信制御部２１０、自端末の現在位置情報を取得する位置情報取得部２１１、音声を入力するためのマイク２１２、着信音や受話、キープッシュ音等を鳴らすスピーカ２１３、受信信号及びマイク２１２からの入力音声信号をデジタル信号処理する音声コーデックを備える通話制御部２１４、操作のためのガイダンスや受信情報をカラー表示する液晶パネルからなる表示部２１５、表示部２１５を駆動制御する表示制御部２１６、ユーザからのキー操作情報を入力生成する操作部２１７、対象となる画像情報を入力するカメラからなる撮像部２１８、及び撮像部２１８を制御する撮像制御部２１９を備えて構成される。
【００４０】
主制御部２０１は、マイクロコンピュータ等により構成され、装置全体の制御を行うとともに、ＲＦ無線部２０４の動作状態を制御する通信制御部２０５、Ｂｌｕｅｔｏｏｔｈ無線部２０９の動作状態を制御するＢｌｕｅｔｏｏｔｈ通信制御部２１０、ＲＦ無線部２０４及び／又はＢｌｕｅｔｏｏｔｈ無線部２０９の通電を制御する電源制御部２０７、記憶部２０２、位置情報取得部２１１、通話制御部２１４、表示制御部２１６、操作部２１７、及び撮像制御部２１９の動作を制御する。
【００４１】
記憶部２０２は、ＲＯＭ、ＲＡＭ及び電気的に書き換え可能な不揮発性メモリであるＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）などで構成しており、主制御部２０１のプログラムや通信制御データの他、撮像部２１８により撮像したデータ等の種々のデータを記憶する。
【００４２】
ＲＯＭは、主制御部２０１が動作する際に必要なプログラム、通信制御データ等の固定データを記憶する読出し専用の半導体メモリである。ＲＡＭは、通信に関するデータ、演算に使用するデータ及び演算結果等を一時的に記憶するいわゆるワーキングメモリとして使用される。携帯端末１４０で利用されるプログラムは、このＲＡＭに展開されて実行される。また、ＲＡＭの一部は、電気的に書き換え可能な不揮発性メモリであるＥＥＰＲＯＭからなり、ＥＥＰＲＯＭに書き込むプログラムを変えることによって、特に携帯端末１４０における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ、ＥＥＰＲＯＭとし、プログラム開発・修正時間の短縮の大幅な短縮を図っている。また、プログラムをダウンロードしてＥＥＰＲＯＭのプログラム内容を書き換えるようにすれば機能のアップグレードや機能の変更を容易に行うことが可能になる。
【００４３】
通信制御部２０５は、携帯端末１４０がキャリア網１３０との通信を行うための機能部であり、マイク２１２から入力された音声信号を送受信無線周波数（ＲＦ）に変調してアンテナ２０３から輻射する送信機、アンテナ２０３からの送受信無線周波数（ＲＦ）帯の信号を受信する受信機、多重化された信号を変調し、変調された信号を送受信機に出力するとともに、送受信機により無線受信された信号を復調する変復調部、パワーアンプ等からなる。ＲＦ無線部２０４は、上記送受信機を構成する。
【００４４】
アンテナ２０８は、Ｂｌｕｅｔｏｏｔｈ通信用アンテナであり、所定の周波数帯で所定の通信規格に従って、Ｂｌｕｅｔｏｏｔｈ通信制御部２１０により変換した信号を送信したり、外部からの電波を受信したりする。
【００４５】
Ｂｌｕｅｔｏｏｔｈ通信制御部２１０は、信号の拡散や変調、フィルタリング等の処理を行うもので、主に極超短波（ＳＨＦ）によるスペクトル拡散方式を使用し、低出力での半径数十ｍの範囲での通信を行う。例えば、２．４ＧＨｚ帯の周波数を使いスペクトル拡散を用いた多元接続（ＣＤＭＡ：Ｃｏｄｅ  Ｄｉｖｉｓｉｏｎ  Ｍｕｌｔｉｐｌｅ  Ａｃｃｅｓｓ）通信方式を使用する。
【００４６】
Ｂｌｕｅｔｏｏｔｈ無線部２０９は、通信データを極超短波（ＳＨＦ）に変調してアンテナ２０８から輻射する送信機、アンテナ２０８からの送受信極超短波（ＳＨＦ）の信号を受信する受信機等からなる無線部と、多重化された信号を変調し、変調された信号を無線部に出力するとともに、無線部により無線受信された信号を復調する変復調部とから構成される。
【００４７】
上記Ｂｌｕｅｔｏｏｔｈ無線部２０９及びＢｌｕｅｔｏｏｔｈ通信制御部２１０は、キャリア用の通信制御部２０５とは使用周波数帯や変調方式等が異なるため別個の無線制御部を設ける必要がある。Ｂｌｕｅｔｏｏｔｈ通信制御部２１０は、携帯電話機用であるが汎用的な無線通信システムにすることも可能である。
【００４８】
位置情報取得部２１１は、通信基地局１３１及びキャリア網１３０を介してキャリアサーバにアクセスし携帯端末１４０の現在位置情報を取得する。あるいは、位置情報取得部２１１は、例えば位置情報の電波をＧＰＳ（Ｇｌｏｂａｌ  Ｐｏｓｉｔｉｏｎｉｎｇ  Ｓｙｓｔｅｍ）衛星等から受信するＧＰＳアンテナを備え、ＧＰＳアンテナを介して受信した情報より、携帯端末１４０の現在位置情報を、緯度／経度の２つのパラメータとして算出する。
【００４９】
通話制御部２１４は、内部の音声コーデックにより受信信号及びマイク２１２からの入力音声信号をデジタル信号処理する。マイク２１２からの入力音声信号は、図示しない増幅器で必要に応じて入力音声信号の増幅処理が行われる。この音声コーデックは、デジタル信号処理された受信信号をこの増幅器で必要に応じて増幅処理を行ってスピーカ２１３によって音声出力する。また、通話制御部２１４は、通話回線からのエコーを消去するためのエコーキャンセラを制御するエコーキャンセラを備えている。
【００５０】
表示部２１５は、ドットマトリクス構成のカラー表示可能なＬＣＤ、バックライト方式のＰＤＰ、有機ＥＬディスプレイなどの表示装置と、これらの作動に必要なドライバとから構成される。表示部２１５には、例えば、待機時には時刻が表示され、また通話時には通話相手の電話番号や通話時間が表示されるようになっている。また、必要に応じて表示用照明（バックライト）が点灯又は点滅する。
【００５１】
操作部２１７は、着信、発信、電話機能切り替え、動作決定等を行う電話機能キー、各種機能を切り替えるためのモードキー、上下左右の方向に選択対象を移動させるカーソルキー、カメラの入力を決定するシャッターボタンであるシャッターキー、及び電話番号の入力等ダイヤルするためのメンブレンキー（Ｍｅｍｂｒａｎｅ  ｋｅｙ）からなるダイヤルキーから構成される。
【００５２】
撮像部２１８は、携帯端末１４０に内蔵された例えば３４万画素のＣＣＤ（Ｃｈａｒｇｅ  Ｃｏｕｐｌｅｄ  Ｄｅｖｉｃｅ）（エリア型固体撮像素子）カメラである。撮像部２１８は、単焦点レンズを有し、通常撮影時とマクロ撮影時とで焦点深度が切り替えられる。
【００５３】
図３は、本実施形態において用いるアクセスポイントＡＰ１〜ＡＰ３の内部構成例を示す機能ブロック図である。
図３において、アクセスポイントＡＰ１〜ＡＰ３は、装置全体を制御する主制御部３０１、制御プログラムや固定データ等を記憶するＲＯＭ、ＣＰＵの作業用記憶領域であるＲＡＭ等の半導体メモリなどからなり、売上データや演算に使用するデータ及び演算結果を記憶する記憶部３０２、キャリア用無線通信を行うためのアンテナ３０３、電波を送受信して無線通信を行うＲＦ無線部３０４、ＲＦ無線部３０４を制御する通信制御部３０５、装置内の各モジュールに電源を供給する電源部３０６、電源部３０６を制御する電源制御部３０７、Ｂｌｕｅｔｏｏｔｈによる無線通信を行うためのアンテナ３０８、アンテナ３０８により電波を送受信してＢｌｕｅｔｏｏｔｈによる無線通信を行うＢｌｕｅｔｏｏｔｈ無線部３０９、Ｂｌｕｅｔｏｏｔｈ無線部３０９を制御するＢｌｕｅｔｏｏｔｈ通信制御部３１０、通信回線を通じてネットワーク１２０に接続するための回線インターフェイス３１１、受信情報をカラー表示する液晶パネルからなる表示部３１５、表示部３１５を駆動制御する表示制御部３１６、及びユーザからのキー操作情報を入力生成する操作部３１７を備えて構成される。
【００５４】
上記の主制御部３０１、記憶部３０２、アンテナ３０３、ＲＦ無線部３０４、通信制御部３０５、電源部３０６、電源制御部３０７、アンテナ３０８、Ｂｌｕｅｔｏｏｔｈ無線部３０９、Ｂｌｕｅｔｏｏｔｈ通信制御部３１０、表示部３１５及び表示制御部３１６については、図２に示す携帯端末１４０の対応する各部と同様に構成することができるため、ここでは説明を省略する。
【００５５】
回線インターフェイス３１１は、ネットワーク１２０を通じて管理サーバ１０１と通信を行うために、主制御部３０１から出力された通信データを所定の通信プロトコルに従って変換した後ネットワーク１２０に送信し、ネットワーク１２０から受信した通信データを主制御部３０１において処理可能な形態のデータに変換に変換して主制御部３０１に出力する。
【００５６】
操作部３１７は、置数キー、ＰＬＵキー、現金キー、その他のファンクションキー等の操作キーが設けられたキーボードを備えており、各店舗１１１〜１１３の操作者が必要に応じて操作することができるようになっている。例えば、Ｂｌｕｅｔｏｏｔｈによる無線機能が正常に動作しない場合には、店員が操作部３１７により必要な情報を直接入力することができるようにしておくのが好ましい。
【００５７】
尚、アンテナ３０３、ＲＦ無線部３０４及び通信制御部３０５は、通信基地局１３１を通じて携帯端末のキャリア網１３０にアクセスするためのものであり、例えば、商品代金の決済に関してキャリアと通信する必要がある場合に利用することができるが、本実施形態のオンライン広告システムでは、これらを省略してもよい。
【００５８】
図４は、本実施形態において用いる管理サーバ１０１の内部構成例を示す機能ブロック図である。
図４において、管理サーバ１０１は、サーバ装置全体の制御及びネットワーク１２０を通じた外部装置との通信の制御を行うコンピュータからなる主制御部４０１と、主制御部４０１及びネットワーク１２０間での通信を可能にする回線インターフェイス４０２と、本システムにおいて頒布されるオンライン広告に関する情報を記憶するオンライン広告データベース４０３と、所定の情報を表示するＬＣＤ等からなる表示部４０４と、表示部４０４を駆動制御する表示制御部４０５と、キーボードやマウス等のポインティングデバイスからなり操作者からの情報入力を受け付ける操作部４０６とを備えている。
【００５９】
上記の、主制御部４０１、回線インターフェイス４０２、表示部４０４及び表示制御部４０５は、図２に示す携帯端末１４０又は図３に示すアクセスポイントＡＰ１〜ＡＰ３の対応する各部と同様に構成することができるため、ここでは説明を省略する。
【００６０】
オンライン広告データベース４０３は、広告主１０２から依頼を受けたオンライン広告を配信し、及び配信した広告に対する集客を処理するために必要なデータを記憶している。
【００６１】
図５は、管理サーバ１０１のオンライン広告データベース４０３の内部構成例を概略的に示す図である。図５において、オンライン広告データベース４０３は、広告テーブル、広告主テーブル、商品情報テーブル、アクセスポイント（ＡＰ）テーブル及び加盟店テーブルを含んでいる。
【００６２】
広告テーブルは、各オンライン広告に関するデータを、各オンライン広告に一意に割り当てた広告ＩＤ（主キー）とともに記憶している。広告テーブルに記憶されるデータは、各オンライン広告の広告主、配信先、利用可能場所、配信期間、商品、ディスカウント情報、広告データなどである。ここで、広告主データについては後述する広告主ＩＤを用い、配信先及び利用可能場所データについては後述するアクセスポイントＩＤを用い、商品データについては後述する商品ＩＤを用いることができる。
【００６３】
広告データは、ユーザの携帯端末１４０に配信するオンライン広告データを構成するために必要な文字、画像、音声等のデータであり、広告主１０２から提供されるものである。この広告データは、そのまま携帯端末１４０に配信できる形態で記憶していてもよいし、あるいは必要な文字、画像、音声等のデータを断片的に記憶しておき、管理サーバ１０１の主制御部４０１がこれらのデータからオンライン広告データを生成して配信するように構成してもよい。
【００６４】
広告主テーブルは、本システムにおいてオンライン広告の配信を依頼した広告主１０２に関するデータとして、広告主名、担当者、連絡先等を記憶しており、これらのデータは広告主ごとに割り当てられた広告主ＩＤ（主キー）により一意に識別されるようになっている。
【００６５】
商品情報テーブルは、本システムにおいてオンライン広告の配信対象となる商品に関するデータとして、商品名、広告主情報、価格等を記憶しており、これらのデータは商品ごとに割り当てられた商品ＩＤ（主キー）により一意に識別されるようになっている。また、広告主情報には、上記の広告主ＩＤを用いることができる。
【００６６】
アクセスポイントテーブルは、本システムにおいて設置されているアクセスポイントＡＰ１〜ＡＰ３に関するデータとして、各アクセスポイントの設置場所等を記憶しており、これらのデータはアクセスポイントごとに割り当てられたアクセスポイントＩＤ（主キー）により一意に識別されるようになっている。アクセスポイントＡＰ１〜ＡＰ３の設置場所データについては、後述する加盟店ＩＤを用いることができる。
【００６７】
加盟店テーブルは、本システムを利用している店舗（加盟店）に関するデータとして、店名、所在地、責任者名、連絡先等を記憶しており、これらのデータは店舗ごとに割り当てられた加盟店ＩＤ（主キー）により一意に識別されるようになっている。
【００６８】
上記したオンライン広告データベース４０３の加盟店テーブル、アクセスポイントテーブル及び広告テーブルの具体的な構成例を、ぞれぞれ、図６〜図８に示す。
【００６９】
図６は、加盟店テーブルの具体的な構成例を示す図である。以下において、本実施形態の例示のために、加盟店ＩＤがＳ０００１のファミリーレストランは図１に示すファミリーレストラン１１２であり、加盟店ＩＤがＳ０００２のコンビニエンスストアは図１に示すコンビニエンスストア１１１であり、加盟店ＩＤがＳ０００３のレコード店は図１に示すレコード店１１３であるものとする。
【００７０】
図７は、アクセスポイントテーブルの具体的な構成例を示す図である。図７において、加盟店ＩＤがＳ０００１〜Ｓ０００３の各店舗には、アクセスポイントＩＤがＡＰ０００１〜ＡＰ０００３のアクセスポイントが設置されている。
【００７１】
図８は、広告テーブルの具体的な構成例を示す図である。図８の例で示すように、本実施形態のオンライン広告システムにおいて配信されるオンライン広告には、それぞれ、配信先のアクセスポイント及び利用可能なアクセスポイントが予め設定されている。
【００７２】
すなわち、広告ＩＤがＡＤ０００１のオンライン広告は、図１におけるコンビニエンスストア１１１、ファミリーレストラン１１２及びレコード店１１３のいずれの店舗においてもユーザに配信されるものであり、また、ユーザがこれらのいずれの店舗においても利用可能なものである。
【００７３】
一方、広告ＩＤがＡＤ０００２のオンライン広告は、上記のいずれの店舗においてもユーザに配信されるものであるが、ユーザがこのオンライン広告を利用できるのはファミリーレストラン１１２においてのみである。
【００７４】
また、広告ＩＤがＡＤ０００３のオンライン広告は、ファミリーレストラン１１２においてのみユーザに配信されるものであり、ユーザがこのオンライン広告を利用できるのはコンビニエンスストア１１１においてのみである。
上記のように構成された本実施形態のオンライン広告システムにおいて、ユーザにオンライン広告を配信し、ユーザがこれを利用する態様を以下に説明する。
【００７５】
図１において、広告主１０２が本システムにおけるオンライン広告配信を依頼すると、管理サーバ１０１は、必要な各種データを生成し、オンライン広告データベース４０３に記憶する。具体的には、図５に示すオンライン広告データベース４０３の広告テーブルにおいて、新たな広告レコードを生成することになる。
以下に、図８に示す広告テーブルの構成例において、広告ＩＤがＡＤ０００１のオンライン広告を配信する場合を例にとって説明する。
【００７６】
管理サーバ１０１は、オンライン広告ＡＤ０００１の配信期間が開始すると、オンライン広告ＡＤ０００１の所定のデータを、配信先であるアクセスポイントＡＰ１〜ＡＰ３（ＡＰ０００１〜ＡＰ０００３）にネットワークを通じて送信する。ここで送信するデータには、オンライン広告ＡＤ０００１の広告ＩＤ、広告データ、配信期間等を含んでいるものとする。
【００７７】
オンライン広告ＡＤ０００１のデータを受信した各アクセスポイントＡＰ１〜ＡＰ３は、これを記憶部３０２に記憶するとともに、このデータに基づいてＢｌｕｅｔｏｏｔｈによりユーザの携帯端末１４０に無線送信するためのデータを生成する。この無線送信用データは、受信したオンライン広告ＡＤ０００１の広告データから生成される、ユーザの携帯端末１４０上で記憶及び表示可能な形態のデータであるものとする。
【００７８】
本実施形態のオンライン広告システムでは、さらに、各アクセスポイントＡＰ１〜ＡＰ３は、自らがオンライン広告ＡＤ０００１の配信元であることを示すＬｏｃａｔｉｏｎ＿ＩＤを上記無線送信用データに含めて送信することを特徴としている。例えば、Ｂｕｌｅｔｏｏｔｈ規格で定められた無線送信用データのヘッダなどにＬｏｃａｔｉｏｎ＿ＩＤを含め送信することが可能である。
【００７９】
Ｌｏｃａｔｉｏｎ＿ＩＤは、ユーザの携帯端末１４０に配信したオンライン広告が、いずれのアクセスポイントから配信されたものであるかを識別することが可能なデータであればよく、少なくとも、当該オンライン広告の広告ＩＤと当該アクセスポイントのアクセスポイントＩＤとを含んだデータであるものとする。例えば、オンライン広告ＡＤ０００１を配信しようとするアクセスポイントＡＰ１は、“ＡＤ０００１”及び“ＡＰ０００１”を含むデータをＬｏｃａｔｉｏｎ＿ＩＤとしてオンライン広告ＡＤ０００１に含めて配信すればよい。
【００８０】
上記の例では、各アクセスポイントＡＰ１〜ＡＰ３においてＬｏｃａｔｉｏｎ＿ＩＤを生成しオンライン広告に含めることとしているが、本実施形態のオンライン広告システムでは、管理サーバ１０１において、各オンライン広告に対してＬｏｃａｔｉｏｎ＿ＩＤを発行し、これをオンライン広告とともに各アクセスポイントＡＰ１〜ＡＰ３に送信するように構成することも可能である。
【００８１】
この場合、管理サーバ１０１のオンライン広告データベース４０３には、さらに、Ｌｏｃａｔｉｏｎテーブルを設けておくことになる。図９は、Ｌｏｃａｔｉｏｎテーブルの構成例を示す図である。図９において、（ａ）に示すＬｏｃａｔｉｏｎテーブルは、Ｌｏｃａｔｉｏｎ＿ＩＤ（主キー）と広告ＩＤと配布先アクセスポイントＩＤとを含んでおり、（ｂ）に示すＬｏｃａｔｉｏｎテーブルは、さらに商品ＩＤを含んでいる。
【００８２】
管理サーバ１０１は、各アクセスポイントＡＰ１〜ＡＰ３に対してオンライン広告を配信する時に、オンライン広告データベース４０３のＬｏｃａｔｉｏｎテーブルにおいて、新たなレコードを生成し、Ｌｏｃａｔｉｏｎ＿ＩＤ、当該オンライン広告の広告ＩＤ、配信先アクセスポイント等を記憶するとともに、このＬｏｃａｔｉｏｎ＿ＩＤを当該オンライン広告に含めて各アクセスポイントＡＰ１〜ＡＰ３に配信する。
【００８３】
ユーザの携帯端末１４０は、アクセスポイントＡＰ１〜ＡＰ３とＢｌｏｏｔｏｏｔｈによる無線通信が可能な圏内において、オンライン広告を受信する。携帯端末１４０は、オンライン広告を受信すると、これを表示部２１５において表示したり、スピーカ２１３において所定の音声を発したりして、ユーザの注意を喚起する。
【００８４】
図１０は、携帯端末１４０の表示部２１５において表示されるオンライン広告の例を示す図である。本例のオンライン広告は、ＤＶＤソフトの販売用広告であり、ユーザは、このオンライン広告を利用可能店舗において提示することにより、当該ＤＶＤソフトを購入することができる。ユーザは、このオンライン広告を利用したいと考えた場合には、「保存する」を選択してこのオンライン広告を携帯端末１４０内に保存しておくことができる。
【００８５】
また、図１０に示すオンライン広告表示画面において「詳細情報」を選択すると、このオンライン広告に関するさらに詳細な情報を表示させることができる。詳細情報の表示とは、例えば、当該オンライン広告が利用可能な店舗名などを表示することを含むものとする。これらの詳細情報は、予めオンライン広告データに含まれているものを表示してもよく、あるいは、携帯端末１４０がキャリア網１３０を通じてインターネット上のＷＥＢサイト等にアクセスして取得した情報を表示するようにしてもよい。
尚、ユーザの購買意欲を喚起するために、オンライン広告を利用することにより、一般販売価格よりも安い価格で購入できるようにするのが好ましい。
【００８６】
その後、ユーザは、携帯端末１４０に保存してあるオンライン広告を、そのオンライン広告の利用が可能とされている特定の店舗において利用することができる。本例では、図８に示すように、オンライン広告ＡＤ０００１は、アクセスポイントＡＰ１〜ＡＰ３のいずれかが設置されている店舗において利用可能とされている。
【００８７】
ユーザは店舗を訪問し、携帯端末１４０に保存してあるオンライン広告をアクセスポイントに対して無線送信することにより、オンライン広告を利用することができる。例えば、図１０に例示するオンライン広告を利用した場合には、当該商品の購入を申し込むことになる。携帯端末１４０は、少なくとも利用するオンライン広告の広告ＩＤと、Ｌｏｃａｔｉｏｎ＿ＩＤと、予め登録されているユーザの識別情報（電話番号、メールアドレスなどであってもよい）とをアクセスポイントに送信するものとする。
【００８８】
このとき、アクセスポイントは、ユーザに商品の受け取り場所を指定するよう求めるのが好ましい。商品の受け取り場所は、オンライン広告データベース４０３の加盟店テーブルに記憶されている店舗名の一覧から選択するようにしてもよいし、あるいは、ユーザの自宅を受け取り場所としてユーザに住所を入力させるようにしてもよい。また、ユーザが商品の受け取り場所を指定しなかった場合には、そのアクセスポイントの設置店舗又はオンライン広告の配信元の店舗を受け取り場所とすることもできる。
【００８９】
アクセスポイントは、受信したこれらの情報を、オンライン広告による商品注文データとして、管理サーバ１０１に送信する。また、アクセスポイントは、商品注文データとともに、自身のアクセスポイントＩＤを管理サーバ１０１に送信しているものとする。例えば、送信データのヘッダ情報にアクセスポイントＩＤを含めて送信することができる。
【００９０】
このデータを受信した管理サーバ１０１は、オンライン広告データベース４０３において、オンライン広告の広告ＩＤから、広告主テーブル、広告テーブル等の該当するレコードを参照し、広告主１０２に商品注文データをその他の必要な情報とともに送信する。このとき送信される情報は、例えば、注文対象の商品名、価格、ディスカウント情報、オンライン広告が利用されたアクセスポイント（又はその設置店舗名）、オンライン広告配信元のアクセスポイント（又はその設置店舗名）、ユーザの識別情報などを含むものとする。
【００９１】
ここで、オンライン広告が利用されたアクセスポイントは、アクセスポイントから受信したデータに含まれるＬｏｃａｔｉｏｎ＿ＩＤから解析可能である。例えば、上記の例では、アクセスポイントＡＰ１から配信されたオンライン広告ＡＤ０００１は、Ｌｏｃａｔｉｏｎ＿ＩＤに“ＡＤ０００１”及び“ＡＰ０００１”を含んでいるので、これらの情報により、オンライン広告ＡＤ０００１の配信元がアクセスポイントＡＰ１であることが分かる。
【００９２】
上記において、ユーザが携帯端末１４０に保存してあるオンライン広告を店舗等に設置のアクセスポイントを通じて商品を注文する利用形態を示したが、この他本実施形態では、携帯端末１４０からキャリア網１３０を通じて管理サーバ１０１にアクセスして商品を注文することも可能である。この場合も、上記と同様に、携帯端末１４０は少なくとも利用するオンライン広告の広告ＩＤ、Ｌｏｃａｔｉｏｎ＿ＩＤ及びユーザの識別情報を管理サーバ１０１に送信するものとする。
【００９３】
このとき、管理サーバ１０１はさらに、ユーザに商品の受け取り場所を指定するよう求めるのが好ましい。商品の受け取り場所は、オンライン広告データベース４０３の加盟店テーブルに記憶されている店舗名の一覧から選択するようにしてもよいし、あるいは、ユーザの自宅を受け取り場所としてユーザに住所を入力させるようにしてもよい。また、ユーザが商品の受け取り場所を指定しなかった場合には、オンライン広告の配信元の店舗を受け取り場所とすることもできる。
【００９４】
上記データを受信した広告主１０２は、商品注文データに基づいて商品注文を受け付ける。広告主１０２は、注文された商品を受け取り場所として指定された店舗又はユーザの自宅に送付する。このとき、広告主１０２又は商品受け取り場所の店舗は、ユーザに商品が受け取り可能となったことを電子メール等により通知するのが好ましい。
【００９５】
ユーザは、自宅又は商品受け取り場所の店舗において注文した商品を受け取ることができる。店舗において商品を受け取った場合には、店舗はアクセスポイントにより商品が引き渡されたことを管理サーバ１０１に通知する。また、広告主１０２が直接ユーザの自宅に商品を送付した場合には、送付後に管理サーバ１０１に同様の通知を行う。
【００９６】
上記の商品引渡し通知を受信した管理サーバ１０１は、当該オンライン広告の配信元アクセスポイントの設置店舗、当該オンライン広告が利用されたアクセスポイントの設置店舗及び商品受け取り場所となった店舗に対して所定のコミッションを付与する。ここで、コミッションとは、各店舗の商品の売り上げへの貢献に対する報奨であり、例えば、商品売上金額の所定割合を上記各店舗に支払うように予め取り決めておくことができる。このコミッションに関するデータは、オンライン広告データベース４０３の加盟店テーブルの各加盟店レコードに記憶しておくことができる。
【００９７】
尚、上記において、商品代金の支払いについては説明していないが、本実施形態では、様々な支払い方法が適用できる。例えば、ユーザが商品注文時に支払うようにしてもよいし、店舗で商品を受け取る場合には商品と引き換えに代金を支払うようにすることもできる。あるいは、携帯端末キャリアが料金収集を代行し、ユーザは携帯端末１４０を用いて携帯端末キャリアに代金を支払うようにすることもできる。その他、銀行振込、商品代引き配送、クレジットカード、オンライン決済、ＷＥＢマネー等を利用することも可能である。
【００９８】
以上説明した本実施形態のオンライン広告システムによれば、ユーザにとっては、店舗等に設置されているアクセスポイントからオンライン広告を無線受信することができ、受信したオンライン広告を複数の店舗において利用可能であり、また、商品注文及び商品受け取りを行う店舗を自ら選択することができるので、利便性の高いオンライン広告が配信されることになる。
【００９９】
広告主にとっては、多数の店舗においてオンライン広告を配信し、商品注文を受け付け、商品引渡しを行うことができるので、効率的に商品を宣伝し配布することができる。これら３つの全てを行わなくとも、いずれかを行うことによりコミッションを得ることができるので幅広い業種の店舗が加盟店となり利益を得ることが可能である。
【０１００】
アクセスポイントの設置店舗にとっては、商品の購入があったときに、オンライン広告の配信、商品注文の受け付け、並びに商品の引渡しを行うことによりコミッションが得られるのみならず、アクセスポイントを設置することにより、本システムのオンライン広告を利用しようとするユーザを自店舗に引き寄せることができる。
【０１０１】
［第２実施形態］
図１１は、本発明の第２実施形態にかかるオンライン広告システムの構成を概略的に示す図である。図１１において、本実施形態のオンライン広告システムは、管理サーバ１０１と、コンビニエンスストア１１１と、ファミリーレストラン１１２と、居酒屋１１４と、ユーザが所有する携帯端末１４０とから構成されている。また、コンビニエンスストア１１１及びファミリーレストラン１１２には、それぞれ、アクセスポイントＡＰ１及びＡＰ２が設置されているものとする。
【０１０２】
図１１に示す管理サーバ１０１、コンビニエンスストア１１１、ファミリーレストラン１１２、アクセスポイントＡＰ１及びＡＰ２、ネットワーク１２０、キャリア網１３０、通信基地局１３１、並びに携帯端末１４０については、以下において特に説明しない限りは、本発明の第１実施形態において説明したものと同様に構成されており同様の動作をするものとする。
【０１０３】
本実施形態のオンライン広告システムにおいて、居酒屋１１４はアクセスポイントを有していないが、ネットワーク１２０との通信手段は備えており、管理サーバ１０１にアクセス可能である。また、管理サーバ１０１のオンライン広告データベースは、居酒屋１１４を本システムの加盟店として登録しているものとする。
【０１０４】
上記のように構成された本実施形態のオンライン広告システムにおいて、オンライン広告をユーザに配信し、ユーザがオンライン広告を利用する形態を説明する。
【０１０５】
本実施形態のオンライン広告システムでは、コンビニエンスストア１１１、ファミリーレストラン１１２及び居酒屋１１４が広告主となることを特徴としている。これらの店舗はネットワーク１２０を通じて管理サーバ１０１に広告依頼を行う。
【０１０６】
これらの店舗から広告依頼を受けた管理サーバ１０１は、所定の広告データを作成し、広告配信元となる店舗のアクセスポイントにオンライン広告を配信する。ここで、本実施形態では、アクセスポイントＡＰ１及びＡＰ２を設置しているコンビニエンスストア１１１及びファミリーレストラン１１２が広告の配信元となり得る。
【０１０７】
管理サーバ１０１からオンライン広告を受信したアクセスポイントＡＰ１及びＡＰ２は、ユーザの携帯端末１４０にオンライン広告を配信する。ユーザは携帯端末１４０において受信したオンライン広告を指定された店舗で利用することができる。
【０１０８】
図１２は、本実施形態において、配信されるオンライン広告の携帯端末１４０上での表示例を示す図である。本例のオンライン広告は、ファミリーレストラン１１２におけるサービスクーポンであり、ユーザは、ファミリーレストラン１１２に来店して、当該オンライン広告を提示する（アクセスポイントＡＰ２に当該オンライン広告を送信する）ことにより、指定されたサービスを受けることができる。
【０１０９】
その後、ファミリーレストラン１１２のアクセスポイントＡＰ２は、オンライン広告の利用に伴って必要なデータを管理サーバ１０１に送信する。管理サーバ１０１は、当該オンライン広告の配信元を識別し、配信元店舗へのコミッションを付加する。例えば、図１２に示すファミリーレストラン１１２のサービスクーポンがコンビニエンスストア１１１のアクセスポイントＡＰ１により配信されたものである場合には、ファミリーレストラン１１２からコンビニエンスストア１１１に対して報奨が支払われることになる。
【０１１０】
本実施形態において、居酒屋１１４が広告主となっている場合には、コンビニエンスストア１１１又はファミリーレストラン１１２のアクセスポイントＡＰ１又はＡＰ２により配信されたオンライン広告が居酒屋１１４で利用されることになる。
【０１１１】
居酒屋１１４にはアクセスポイントが設置されていないが、ユーザが携帯端末１４０の表示部にオンライン広告を表示させてこれを居酒屋１１４に提示することにより、所定のサービスを受けることができるようにすればよい。居酒屋１１４は、通信手段を用いて管理サーバ１０１にアクセスし、オンライン広告が利用されたことを通知し、管理サーバ１０１は当該オンライン広告の配信元を識別してその店舗にコミッションを付加する。
【０１１２】
あるいは、居酒屋１１４のようにアクセスポイントを設置していない加盟店が広告主となる場合には、居酒屋１１４は、アクセスポイントＡＰ１及びＡＰ２により配信されたオンライン広告の数量に応じて広告料を支払うこととし、コンビニエンスストア１１１及びファミリーレストラン１１２は、自店舗に設置したアクセスポイントＡＰ１及びＡＰ２により配信したオンライン広告の数量に応じたコミッションを受け取ることができるようにしてもよい。
【０１１３】
以上説明した本実施形態のオンライン広告システムによれば、加盟店が広告主にも広告配信元にもなり得るので、店舗がオンライン広告システムを利用するのを一層促進することができる。
また、アクセスポイントを設置しない店舗でも加盟店となり広告主となることができるので、さらに多くの店舗の加盟を促すことが可能である。
【０１１４】
以上、本発明のオンライン広告システムについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【０１１５】
【発明の効果】
以上、説明したように、本発明のオンライン広告システムによれば、店舗の立地条件により広告効果が制限されることがなく、ユーザにとっても利便性の高いオンライン広告を配信することができるオンライン広告システムが提供される。
【図面の簡単な説明】
【図１】本発明の第１実施形態にかかるオンライン広告システムの構成を概略的に示す図である。
【図２】本発明の第１実施形態において用いる携帯端末１４０の内部構成例を示す機能ブロック図である。
【図３】本発明の第１実施形態において用いるアクセスポイントＡＰ１〜ＡＰ３の内部構成例を示す機能ブロック図である。
【図４】本発明の第１実施形態において用いる管理サーバ１０１の内部構成例を示す機能ブロック図である。
【図５】管理サーバ１０１のオンライン広告データベース４０３の内部構成例を概略的に示す図である。
【図６】オンライン広告データベース４０３の加盟店テーブルの具体的な構成例を示す図である。
【図７】オンライン広告データベース４０３のアクセスポイントテーブルの具体的な構成例を示す図である。
【図８】オンライン広告データベース４０３の広告テーブルの具体的な構成例を示す図である。
【図９】オンライン広告データベース４０３のＬｏｃａｔｉｏｎテーブルの構成例を示す図である。
【図１０】携帯端末１４０の表示部２１５において表示されるオンライン広告の例を示す図である。
【図１１】本発明の第２実施形態にかかるオンライン広告システムの構成を概略的に示す図である。
【図１２】本発明の第２実施形態において配信されるオンライン広告の携帯端末１４０上での表示例を示す図である。
【図１３】従来の携帯端末を利用した広告システムの一例を示す図である。
【符号の説明】
１０１    管理サーバ
１０２    広告主
１１１    コンビニエンスストア
１１２    ファミリーレストラン
１１３    レコード店
１１４    居酒屋
１２０    ネットワーク
１３０    キャリア網
１３１    通信基地局
１４０    携帯端末
２０１    主制御部
２０２    記憶部
２０３    アンテナ
２０４    ＲＦ無線部
２０５    通信制御部
２０６    電源部
２０７    電源制御部
２０８    アンテナ
２０９    Ｂｌｕｅｔｏｏｔｈ無線部
２１０    Ｂｌｕｅｔｏｏｔｈ通信制御部
２１１    位置情報取得部
２１２    マイク
２１３    スピーカ
２１４    通話制御部
２１５    表示部
２１６    表示制御部
２１７    操作部
２１８    撮像部
２１９    撮像制御部
３０１    主制御部
３０２    記憶部
３０３    アンテナ
３０４    ＲＦ無線部
３０５    通信制御部
３０６    電源部
３０７    電源制御部
３０８    アンテナ
３０９    Ｂｌｕｅｔｏｏｔｈ無線部
３１０    Ｂｌｕｅｔｏｏｔｈ通信制御部
３１１    回線インターフェイス
３１５    表示部
３１６    表示制御部
３１７    操作部
４０１    主制御部
４０２    回線インターフェイス
４０３    オンライン広告データベース
４０４    表示部
４０５    表示制御部
４０６    操作部
１３０１  広告主
１３１１  雑誌
１３１２  ＷＥＢサイト
１３１３  店舗端末
１３２０  携帯端末
１３３０  店舗
１３３１  金銭登録機
１３４０  ＰＯＳネットワーク
１３５０  管理サーバ
ＡＰ１，  ＡＰ２，  ＡＰ３    アクセスポイント
【図１】
2004348531.tif 000003
【図２】
2004348531.tif 000004
【図３】
2004348531.tif 000005
【図４】
2004348531.tif 000006
【図５】
2004348531.tif 000007
【図６】
2004348531.tif 000008
【図７】
2004348531.tif 000009
【図８】
2004348531.tif 000010
【図９】
2004348531.tif 000011
【図１０】
2004348531.tif 000012
【図１１】
2004348531.tif 000013
【図１２】
2004348531.tif 000014
【図１３】
2004348531.tif 000015